(57)【要約】【課題】  課金処理終了後以外のタイミングに、ユーザに原稿を取除くことを促してその取り忘れを減少させるようにする。【解決手段】  原稿読取部１１に、原稿Ｇの有無を検出する原稿センサ１１５を設ける。表示／操作部１３に表示されるＵＩ画面からのプリント（コピー）指示を行うと、制御部１５は、原稿読取部１１でその読取り位置にセットされた原稿Ｇの画像を読取り、この画像データをプリンタ１７でプリントさせる制御を行う。また、制御部１５では、例えば、上記プリントが終了したことを認識すると、原稿取り忘れ確認部１５０が原稿センサ１１５の検出結果から原稿Ｇの取り忘れがあるか否かを確認する処理を行い、原稿Ｇの取り忘れが確認された場合には、表示／操作部１３に警告メッセージを表示し、原稿Ｇの取り忘れがある旨をユーザに報知する。【選択図】  図１
2005084403.tif 000002
【特許請求の範囲】
【請求項１】
原稿読取部で読取った原稿に対応する画像情報を印刷出力する画像形成装置において、
前記原稿読取部における原稿の有無を検出する原稿検出手段と、
前記原稿の印刷開始操作後における特定の動作条件に対応して、前記原稿の取り忘れがあるか否かを前記原稿検出手段の検出結果に基づき確認する確認処理を行う原稿取り忘れ確認手段と、
前記原稿取り忘れ確認手段により原稿の取り忘れが確認された場合、その旨を報知する報知手段と
を具備することを特徴とする画像形成装置。
【請求項２】
前記原稿取り忘れ確認手段は、
最終印刷後の用紙の排出に対応して前記確認処理を行う
ことを特徴とする請求項１記載の画像形成装置。
【請求項３】
前記原稿取り忘れ確認手段は、
最終印刷の処理の終了に対応して前記確認処理を行う
ことを特徴とする請求項１記載の画像形成装置。
【請求項４】
印刷終了後、操作画面上に、終了を指示する終了ボタンを表示する表示制御手段
を具備し、
前記原稿取り忘れ確認手段は、
前記終了ボタンの押下に対応して前記確認処理を行う
ことを特徴とする請求項１記載の画像形成装置。
【請求項５】
印刷終了後、操作画面の表示を印刷メニュー画面に戻す表示制御手段
を具備し、
前記原稿取り忘れ確認手段は、
前記印刷メニュー画面に戻されたことに対応して前記確認処理を行う
ことを特徴とする請求項１記載の画像形成装置。
【請求項６】
印刷動作中、操作画面上に、印刷中止を指示する印刷中止ボタンを表示する表示制御手段
を具備し、
前記原稿取り忘れ確認手段は、
前記印刷中止ボタンの押下に対応して前記確認処理を行う
ことを特徴とする請求項１記載の画像形成装置。
【請求項７】
印刷終了後、操作画面上での領収書発行指示に基づき領収書を発行する領収書発行手段
を具備し、
前記原稿取り忘れ確認手段は、
前記領収書の発行に対応して前記確認処理を行う
ことを特徴とする請求項１記載の画像形成装置。
【請求項８】
事前に投入された金銭から、印刷枚数に応じた課金分を減算して逐次残額を算出する課金処理を行う課金手段
を具備し、
前記原稿取り忘れ確認手段は、
前記課金手段により算出された残額が無くなったことに対応して前記確認処理を行う
ことを特徴とする請求項１記載の画像形成装置。
【請求項９】
原稿読取部で読取った原稿に対応する画像情報を印刷出力する画像形成装置の原稿取り忘れ防止制御方法において、
前記原稿読取部における原稿の有無を検出する原稿検出ステップと、
前記原稿の印刷開始操作後における特定の動作条件に対応して、前記原稿の取り忘れがあるか否かを前記原稿検出ステップでの検出結果に基づき確認する確認処理を行う原稿取り忘れ確認ステップと、
前記原稿取り忘れ確認ステップにより原稿の取り忘れが確認された場合、その旨を報知する報知ステップと
を具備することを特徴とする原稿取り忘れ防止制御方法。
【請求項１０】
前記原稿取り忘れ確認ステップでは、
最終印刷後の用紙の排出に対応して前記確認処理を行う
ことを特徴とする請求項９記載の原稿取り忘れ防止制御方法。
【請求項１１】
前記原稿取り忘れ確認ステップでは、
最終印刷の処理の終了に対応して前記確認処理を行う
ことを特徴とする請求項９記載の原稿取り忘れ防止制御方法。
【請求項１２】
印刷終了後、操作画面上に、終了を指示する終了ボタンを表示する表示制御ステップ
を有し、
前記原稿取り忘れ確認ステップでは、
前記終了ボタンの押下に対応して前記確認処理を行う
ことを特徴とする請求項９記載の原稿取り忘れ防止制御方法。
【請求項１３】
印刷終了後、操作画面の表示を印刷メニュー画面に戻す表示制御ステップ
を有し、
前記原稿取り忘れ確認ステップでは、
前記印刷メニュー画面に戻されたことに対応して前記確認処理を行う
ことを特徴とする請求項９記載の原稿取り忘れ防止制御方法。
【請求項１４】
印刷動作中、操作画面上に、印刷中止を指示する印刷中止ボタンを表示する表示制御ステップ
を有し、
前記原稿取り忘れ確認ステップでは、
前記印刷中止ボタンの押下に対応して前記確認処理を行う
ことを特徴とする請求項９記載の原稿取り忘れ防止制御方法。
【請求項１５】
印刷終了後、操作画面上での領収書発行指示に基づき領収書を発行する領収書発行ステップ
を有し、
前記原稿取り忘れ確認ステップでは、
前記領収書の発行に対応して前記確認処理を行う
ことを特徴とする請求項９記載の原稿取り忘れ防止制御方法。
【請求項１６】
事前に投入された金銭から、印刷枚数に応じた課金分を減算して逐次残額を算出する課金処理を行う課金処理ステップ
を有し、
前記原稿取り忘れ確認ステップでは、
前記課金ステップで算出された残額が無くなったことに対応して前記確認処理を行う
ことを特徴とする請求項９記載の原稿取り忘れ防止制御方法。
【発明の詳細な説明】
【技術分野】
【０００１】
本発明は、表示並びに入力機能を有する操作画面上での印刷指示操作に基づき原稿読取部で原稿を読取り、該読取った画像情報を印刷出力する画像形成装置に係わり、詳しくは、印刷終了時や領収書発行時等、様々なタイミングで原稿の取り忘れ防止制御を行える画像形成装置及び原稿取り忘れ防止制御方法に関する。
【背景技術】
【０００２】
今日、例えば、コンビニエンスストア等に設置され、原稿をコピーする等の印刷サービスを提供する画像形成装置が知られている。
【０００３】
この種の画像形成装置を利用する際、ユーザは、持ち込んだ原稿を原稿読取位置にセットしたうえで、表示並びに入力機能を有する操作画面上でコピーに必要な一連のユーザ操作を行なって印刷（コピー）を実施し、その際、印刷枚数等に応じて課金されるサービス料金を課金装置に入金することで印刷サービスを受けられるようになっている。
【０００４】
このような印刷サービスを提供する画像形成装置の場合、印刷終了後、排出トレイに排出される用紙（排出用紙）の取り出しや、課金装置から払い出されるつり銭の受け取りに気を取られて、コピー原稿の取り出しを取り忘れてしまうといった危険性がある。
【０００５】
こうした背景から、この種の従来の画像形成装置の中には、例えば、下記特許文献１に記載されるように、課金処理終了時に原稿センサにより原稿の有無をチェックし、取り忘れの場合には警告音を発生する機能を備えたものがあった。
【特許文献１】特開平０５−５３３８５号公報
【発明の開示】
【発明が解決しようとする課題】
【０００６】
上記特許文献１記載の技術では、課金処理終了時、原稿が取除かれていない場合には警告音を鳴らし、ユーザに原稿の除去を促すことで原稿の取り忘れを減らすことができる。
【０００７】
しかしながら、この種の画像形成装置では、原稿を取り忘れる可能性があるタイミングとしては、課金処理終了後のみならず、印刷が終了した時、操作画面が印刷メニューを表示する初期画面に戻った時、領収書を発行する時等、様々なタイミングが存在する。
【０００８】
この種の従来装置では、こうした様々なタイミングでの原稿取り忘れに対してその防止策が講じられたものがなく、課金処理終了後以外のタイミングに、ユーザに原稿を取除くことを促してその取り忘れを減少させることができないという問題点があった。
【０００９】
本発明は上記問題点を解消し、課金処理終了後以外のタイミングに、ユーザに原稿を取除くことを促してその取り忘れを減少させることができる画像形成装置及び原稿取り忘れ防止制御方法を提供することを目的とする。
【課題を解決するための手段】
【００１０】
上記目的を達成するために、請求項１記載の発明は、原稿読取部で読取った原稿に対応する画像情報を印刷出力する画像形成装置において、前記原稿読取部における原稿の有無を検出する原稿検出手段と、前記原稿の印刷開始操作後における特定の動作条件に対応して、前記原稿の取り忘れがあるか否かを前記原稿検出手段の検出結果に基づき確認する確認処理を行う原稿取り忘れ確認手段と、前記原稿取り忘れ確認手段により原稿の取り忘れが確認された場合、その旨を報知する報知手段とを具備することを特徴とする。
【００１１】
請求項２記載の発明は、上記請求項１記載の発明において、前記原稿取り忘れ確認手段は、最終印刷後の用紙の排出に対応して前記確認処理を行うことを特徴とする。
【００１２】
請求項３記載の発明は、上記請求項１記載の発明において、前記原稿取り忘れ確認手段は、最終印刷の処理の終了に対応して前記確認処理を行うことを特徴とする。
【００１３】
請求項４記載の発明は、上記請求項１記載の発明において、印刷終了後、操作画面上に、終了を指示する終了ボタンを表示する表示制御手段を具備し、前記原稿取り忘れ確認手段は、前記終了ボタンの押下に対応して前記確認処理を行うことを特徴とする。
【００１４】
請求項５記載の発明は、上記請求項１記載の発明において、印刷終了後、操作画面の表示を印刷メニュー画面に戻す表示制御手段を具備し、前記原稿取り忘れ確認手段は、前記印刷メニュー画面に戻されたことに対応して前記確認処理を行うことを特徴とする。
【００１５】
請求項６記載の発明は、上記請求項１記載の発明において、印刷動作中、操作画面上に、印刷中止を指示する印刷中止ボタンを表示する表示制御手段を具備し、前記原稿取り忘れ確認手段は、前記印刷中止ボタンの押下に対応して前記確認処理を行うことを特徴とする。
【００１６】
請求項７記載の発明は、上記請求項１記載の発明において、印刷終了後、操作画面上での領収書発行指示に基づき領収書を発行する領収書発行手段を具備し、前記原稿取り忘れ確認手段は、前記領収書の発行に対応して前記確認処理を行うことを特徴とする。
【００１７】
請求項８記載の発明は、上記請求項１記載の発明において、事前に投入された金銭から、印刷枚数に応じた課金分を減算して逐次残額を算出する課金処理を行う課金手段を具備し、前記原稿取り忘れ確認手段は、前記課金手段により算出された残額が無くなったことに対応して前記確認処理を行うことを特徴とする。
【００１８】
請求項９記載の発明は、原稿読取部で読取った原稿に対応する画像情報を印刷出力する画像形成装置の原稿取り忘れ防止制御方法において、前記原稿読取部における原稿の有無を検出する原稿検出ステップと、前記原稿の印刷開始操作後における特定の動作条件に対応して、前記原稿の取り忘れがあるか否かを前記原稿検出ステップでの検出結果に基づき確認する確認処理を行う原稿取り忘れ確認ステップと、前記原稿取り忘れ確認ステップにより原稿の取り忘れが確認された場合、その旨を報知する報知ステップとを具備することを特徴とする。
【００１９】
請求項１０記載の発明は、上記請求項９記載の発明において、前記原稿取り忘れ確認ステップでは、最終印刷後の用紙の排出に対応して前記確認処理を行うことを特徴とする。
【００２０】
請求項１１記載の発明は、上記請求項９記載の発明において、前記原稿取り忘れ確認ステップでは、最終印刷の処理の終了に対応して前記確認処理を行うことを特徴とする。
【００２１】
請求項１２記載の発明は、上記請求項９記載の発明において、印刷終了後、操作画面上に、終了を指示する終了ボタンを表示する表示制御ステップを有し、前記原稿取り忘れ確認ステップでは、前記終了ボタンの押下に対応して前記確認処理を行うことを特徴とする。
【００２２】
請求項１３記載の発明は、上記請求項９記載の発明において、印刷終了後、操作画面の表示を印刷メニュー画面に戻す表示制御ステップを有し、前記原稿取り忘れ確認ステップでは、前記印刷メニュー画面に戻されたことに対応して前記確認処理を行うことを特徴とする。
【００２３】
請求項１４記載の発明は、上記請求項９記載の発明において、印刷動作中、操作画面上に、印刷中止を指示する印刷中止ボタンを表示する表示制御ステップを有し、前記原稿取り忘れ確認ステップでは、前記印刷中止ボタンの押下に対応して前記確認処理を行うことを特徴とする。
【００２４】
請求項１５記載の発明は、上記請求項９記載の発明において、印刷終了後、操作画面上での領収書発行指示に基づき領収書を発行する領収書発行ステップを有し、前記原稿取り忘れ確認ステップでは、前記領収書の発行に対応して前記確認処理を行うことを特徴とする。
【００２５】
請求項１６記載の発明は、上記請求項９記載の発明において、事前に投入された金銭から、印刷枚数に応じた課金分を減算して逐次残額を算出する課金処理を行う課金処理ステップを有し、前記原稿取り忘れ確認ステップでは、前記課金ステップで算出された残額が無くなったことに対応して前記確認処理を行うことを特徴とする。
【発明の効果】
【００２６】
本発明によれば、原稿読取部における原稿の有無を検出する原稿検出手段を設け、原稿の印刷開始操作後における特定の動作条件に対応して、原稿の取り忘れがあるか否かを原稿検出手段の検出結果に基づき確認する確認処理を行い、該確認処理によって原稿の取り忘れが確認された場合には、その旨を報知するようにしている。
【００２７】
この制御によれば、例えば、最終印刷後の用紙が排出されたことや、操作画面上で“終了”や“プリント中止”などの指示操作がなされたこと等の特定動作条件に対応して原稿の取り忘れを確認してその旨を報知でき、課金処理終了時以外の様々なタイミングにユーザに対して原稿の取り忘れを報知して原稿の除去を促しつつその取り忘れを減少させることができる。
【００２８】
また、最終印刷後の用紙の排出や、操作画面上で“終了”や“プリント中止”などの指示操作がなされたことに対応して原稿の取り忘れがある旨を報知する本発明の取り忘れ制御方法によれば、原稿の取り忘れがある旨の報知は課金処理に全く依存していないため、一般消費者向けの有料印刷サービスを提供する装置に限らず、課金処理機能を持たない、一般のオフィスや家庭等で使用する画像形成装置に適用しても相応の原稿取り忘れ防止効果が期待できる。
【発明を実施するための最良の形態】
【００２９】
以下、本発明の実施形態について添付図面を参照して詳細に説明する。
【００３０】
図１は、本発明に係る画像形成装置１００の全体構成を示すブロック図である。
【００３１】
特に、この画像形成装置１００は、例えば、コンビニエンスストア等に設置され、ユーザが持ち込んだ原稿のコピーや、ユーザが持ち込んだデジタルカメラ用の記録メディア〔スマートメディア、コンパクトフラッシュ（登録商標）、ＳＤメモリカード等〕５を用いた写真印刷等の印刷サービスを印刷枚数等に応じたサービス料金を支払うことで利用できる装置への適用例を示している。
【００３２】
この画像形成装置１００は、コピー対象の原稿の画像を読取る原稿読取部１１、上記記録メディア５が着脱（抜き差し）可能な機構を有し、該機構を介して差し込まれた記録メディア５から情報（メディアデータ）を読み取る記録媒体読取部（メディアリーダ）１２、コピーや写真印刷を行なうために必要な一連のユーザ操作を行なうユーザインタフェース（ＵＩ）部であって、コピー操作画面（コピー枚数、拡大／縮小、コピー開始等の指示ボタン等から成る）や、写真印刷操作画面（写真選択、部数入力、編集指示、プリント開始等の指示ボタン等から成る）等のＵＩ画面の表示や、該ＵＩ画面上でのユーザ操作に対応する各種情報の入力を行なう表示／操作部１３、メディアリーダ１２によって記録メディア５から読み取られるメディアデータやその他の各種情報を記憶する記憶部１４、上記各処理機能部並びに後述するプリンタ１７，課金装置１８及びレシートプリンタ１９を含む装置全体の制御を行う制御部１５、制御部１５の制御下で、表示／操作部１３のＵＩ画面（コピー操作画面）上でのコピー開始指示に基づき原稿読取部１１で読取られた原稿の画像データを用いて指定部数のコピー印刷を行うと共に、表示／操作部１３のＵＩ画面（写真印刷操作画面）上での写真プリント開始指示に基づき記憶部１４から転送される写真画像データを用いて指定部数の写真を印刷するプリンタ１７、制御部１５の制御下で、プリンタ１７で印刷されるコピーや写真の印刷枚数等に応じてサービス料金の課金処理を行なう課金装置１８、プリント終了後、ＵＩ画面上で領収書（レシート）発行指示があった場合に、課金装置１８での課金処理結果に基づき制御部１５で生成される領収書データを受け取って領収書（レシート）を印刷出力するレシートプリンタ１９を具備して構成される。
【００３３】
図２は、図１における画像形成装置１００の外観構成を示す概念図であり、同図（ａ）が正面図、同図（ｂ）は同図（ａ）の側面図（但し、印刷ユニットＵ３、課金処理ユニットＵ４、レシートプリンタ１９のみの）を示している。
【００３４】
図２（ａ）に示すように、この画像形成装置１００は、図１における表示／操作部１３、記憶部１４、制御部１５に相当する各処理機能部等を実装した制御ユニットＵ１（例えば、ＰＣにより実現される）、図１におけるメディアリーダ１２に相当する処理機能部等を実装した記録媒体読取ユニットＵ２、図１における原稿読取部１１、プリンタ１７に相当する各処理機能部等を実装した印刷ユニットＵ３、図１における課金装置１８に相当する処理機能部等を実装した課金処理ユニットＵ４、並びにレシートプリンタ１９から構成される。
【００３５】
なお、実際の製品において、上記印刷ユニットＵ３は複写機として実現することができる。この場合、該複写機の構成要素である原稿読取部１１は、表示／操作部１３のＵＩ画面上での一連のコピー印刷操作に基づき、コピー用原稿の画像を読取り、プリンタ１７は、原稿読取部１１で読取られた画像データに基づき画像を印刷出力する。
【００３６】
図２（ｂ）に示すように、印刷ユニットＵ３（複写機）を構成する上記プリンタ１７には排出トレイ１７１が設けられる。上述した、印刷後のコピー用紙（写真プリントも同様）はこの排出トレイ１７１上に排出される。
【００３７】
また、このシステムにおいて、印刷ユニットＵ３（複写機）を構成する上記原稿読取部１１には、ユーザによって原稿読取位置にセットされたコピー用の原稿の有無を検出する原稿センサ１１５が設けられる。
【００３８】
図３は、原稿読取部１１における原稿センサ１１５の設置形態を示す概念図である。ここで、同図（ａ）は原稿読取部１１の上面図を示し、同図（ｂ）は同図（ａ）の下側面図を示している。
【００３９】
図３に示すように、原稿センサ１１５は、例えば、プラテンカバー１１２の内部に埋設され、原稿Ｇのスキャン方向と直交する方向に配列された複数対の発光素子ｄ１及び受光素子ｄ２により構成される。
【００４０】
この原稿センサ１１５は、例えば、プラテンカバー１１２を閉じた状態〔図３（ａ）の状態〕で印刷が開始された後、原稿Ｇの端部を整端する整端辺（プラテン１１１の左端部）から幾分スキャン方向寄りの位置を目標にして発光素子ｄ１から光を照射する。
【００４１】
その際、プラテン１１１上に原稿Ｇがある場合には、発光素子ｄ１から照射された光が該原稿Ｇにより反射して受光素子ｄ２により受光される。この時、受光素子ｄ２は、当該受光レベルに相当する検出出力（原稿検出状態に対応する検出出力）を発生する。
【００４２】
これに対して、プラテン１１１上に原稿Ｇが無い場合には、発光素子ｄ１から照射された光がプラテン１１１を通過する。この場合、受光素子ｄ２は、原稿Ｇがある時の受光出力よりも低レベルの受光出力（原稿未検出状態に対応する検出出力）を発生する。
【００４３】
この原稿センサ１１５の検出出力は、制御部１５内の原稿取り忘れ確認部１５０（図１参照）に入力する。原稿取り忘れ確認部１５０は、後で詳述するように、原稿センサ１１５の検出出力を基に原稿Ｇの有無（原稿Ｇが検出されているか未検出か）を判断し、該判断結果に応じて原稿Ｇの取り忘れがあるかないかを確認する処理を行う。
【００４４】
なお、図３に示す原稿センサ１１５（原稿検出手段）の構成はあくまでも一例である。原稿検出手段としては、この他、機械的スイッチを用いて原稿Ｇの有無を検出するものや、あるいは、プラテン１１１上に原稿Ｇを置かない状態でスキャンして得たイメージデータと、その後、原稿Ｇの再読取りを行って得たイメージデータを比較し、その比較結果に応じて原稿Ｇの有無を検出するもの等、周知の技術を用いて実現可能である。
【００４５】
次に、この画像形成装置１００の基本運用操作について説明する。
【００４６】
この画像形成装置１００では、待機時、表示／操作部１３にメインメニュー画面が表示されており、該メインメニュー画面上で所定の操作を行うことにより、例えば、図４に示すような初期画面（印刷メニュー画面）１３１が切替え表示される。
【００４７】
この初期画面１３１には、“コピー”、“プリント”、“デジカメ”といった印刷サービス種別を選択する印刷メニューボタンと、これら印刷の終了を指示する“終了”ボタン、及び領収書（レシート）の発行を指示する“領収書”ボタン（領収書発行ボタン）が設けられている。
【００４８】
ユーザが、この画像形成装置１００を利用して例えばコピーを行う場合、事前に課金装置１８の料金投入口〔図２（ａ）参照〕にサービス料金（コピー代）に足る金銭を投入し原稿読取部１１の原稿読取位置（プラテン１１１上）に原稿Ｇをセットした後、表示／操作部１３に表示される初期画面１３１上で“コピー”を選択し、次いで、該選択操作により表示されるコピー操作画面に従って当該コピーに必要な一連の設定操作（コピー部数、拡大／縮小指定、コピー開始指示）を行なう。
【００４９】
上記一連のコピー設定操作後、コピー開始指示が与えられると、制御部１５は、セットされた原稿Ｇを原稿読取部１１で読取り、該読取った画像データを印刷制御情報と共にプリンタ１７に送出する。
【００５０】
プリンタ１７は画像読取部１１から入力する画像データをその印刷制御情報に基づき用紙に印刷して排出トレイ１７１に排出する。
【００５１】
この印刷（コピー）動作中、制御部１５は、表示／操作部１３のＵＩ画面上に、例えば図５（ａ）に示すように、プリント動作中であることを示すメッセージやコピーの進捗状況表示等を有するプリント中画面１３３ａを表示する。
【００５２】
このプリント中画面１３３ａには、プリント（コピー）の開始を指示する“コピースタート”ボタンの他、プリント（コピー）の中止を指示する“コピー中止”ボタンも表示される。上記プリント動作の進行中、“コピー中止“”ボタンが押下されると、制御部１５は、その時点で当該プリント（コピー）動作を中止するように制御する。
【００５３】
“コピー中止”ボタンが押下されずに指定部数のプリント（コピー）が終了すると、制御部１５は、表示／操作部１３の表示を初期画面１３１に戻す。
【００５４】
この初期画面１３１上で、“終了”ボタンが押下された場合、制御部１５は、印刷動作を終了し、メインメニュー表示画面（図示せず）に戻す。
【００５５】
また、“終了”ボタンが押下された場合、制御部１５は、課金装置１８との間の情報交信により残金があるかどうかをチェックし、残金があれば、課金装置１８に指示して当該残金をつり銭としてつり銭排出口〔図２（ａ）参照〕から払い出すように制御する。
【００５６】
なお、課金装置１８では、上記プリント（コピー）動作に合わせて課金処理を行っている。この課金処理において、課金装置１８は、プリントの進行に合わせて、それまでに実行し終えたプリントのプリント代金を順次加算すると共に、事前入金された入金額と上記加算値とに基づき両者の差に当たる残金を逐次算出している。
【００５７】
制御部１５は、課金装置１８での上記課金処理によって求められた残金を表示／操作部１３のＵＩ画面上に表示する。
【００５８】
図６は、残金を表示するＵＩ画面（残金表示画面）１３５の一例を示す図である。特に、図６では、プリント終了時に、事前投入された金額分に一致するサービス料金の課金がなされることにより、残金が“０”円になった状態の残金表示例を示している。
【００５９】
また、上記初期画面１３１上で、“領収書”ボタンが押下された場合、制御部１５は、課金装置１８から、それまでの課金処理結果（何枚コピーしたか等の利用明細、利用料金、入金額、つり銭の額等の情報）を取得すると共に、該取得した課金処理結果を反映した領収書データを生成し、該領収書データをその印刷指示と共にレシートプリンタ１９に送出する。
【００６０】
レシートプリンタ１９は、上記印刷指示に従い、上記領収書データに基づき領収書を印刷し、該領収書をレシート排出口〔図２（ａ）参照〕へと排出する。
【００６１】
また、ユーザが、この画像形成装置１００を利用して例えば写真印刷を行う場合、事前に課金装置１８の料金投入口にサービス料金（写真印刷代）に足る金銭を投入した後、メディアリーダ１２に記録メディア５（デジタルカメラで撮影した写真の写真画像データ等が記憶された各種の記録媒体）を装着したうえで、上記初期画面１３１上で“デジカメ”を選択し、次いで表示されるメディア種別の中から今回装着した記録メディアのメディア種別を指定する。
【００６２】
これにより、記録メディア５に記憶されているメディアデータがメディアリーダ１２によって読み込まれ、記憶部１４に記憶される。
【００６３】
ここで、記録メディア５には、圧縮された撮像解像度の写真画像データと、該写真画像データを間引きした低解像度のサムネイル画像とから成る写真ファイルが記憶されており、これらの情報が記憶部１４に記憶される。
【００６４】
その後、ユーザが上記初期画面１３１上で“プリント”を選択すると、メディアリーダ１２により読み込まれて記憶部１４に記憶されているメディアデータのうちのサムネイル画像データが読み出され、該サムネイル画像データを基に、ＵＩ画面（写真選択画面）上には、インデックス用の写真画像（見出し写真画像）が複数枚づつ表示（インデックス表示）される。
【００６５】
この写真選択画面上で、所望の写真の選択、編集指示、部数等を入力した後、“プリント（写真プリント）スタート”ボタンを押下することにより、写真印刷が開始される。
【００６６】
“写真プリントスタート”ボタンが押下されると、それまでのユーザ操作で選択された見出し写真画像に対応する写真画像データ（指定に応じて編集処理が施されたもの）がプリンタ１７に送られ、上記写真選択画面上で指定された部数の写真が印刷される。そして、印刷後の写真は、プリンタ１７の排出トレイ１７１上に排出される。
【００６７】
上記プリント（写真プリント）動作を行っている間、表示／操作部１３のＵＩ画面上には、例えば、図５（ｂ）に示すようなプリント中画面１３３ｂが表示される。
【００６８】
特に、この例のプリント中画面１３３ｂには、“プリントしています。”というメッセージと共に、全印刷ページのうちの何ページ目を印刷中かを数字で表わすプリント進捗ページ表示がなされ、更には、例えば、印刷対象のページの画像のうちの印刷完了した部分の画像が印刷の進行に合わせて次第に見えてくるイメージを表わすプリント進捗画像表示がなされる。更に、その下段には、全体の印刷時間のうちのどの程度の時間までプリントが終了したかをレベルメータで表わすプリント進捗レベル表示がなされる。
【００６９】
上記プリント動作の進行中、プリント中画面１３３ｂ上で“プリント（写真プリント）中止“”ボタンが押下されると、制御部１５は、その時点で当該写真のプリント動作を中止するように制御する。
【００７０】
“写真プリント中止”ボタンが押下されずに写真のプリントが終了すると、図４に示す初期画面１３１に戻る。
【００７１】
この初期画面１３１上では、上述したコピー印刷時と同様、“終了”ボタンを押下してプリントを終了できると共に、“領収書”ボタンを押下することにより、領収書を発行することができる。
【００７２】
このように、本発明の画像形成装置１００では、表示／操作部１３にＵＩ画面（初期画面１３１、プリント中画面１３３ａ，１３３ｂ、残金表示画面１３５、コピー操作画面、写真印刷操作画面等）を表示し、コピーまたは写真印刷を行なうために必要な一連のユーザ操作を当該ＵＩ画面を用いて受付けるようにしている。
【００７３】
上記ＵＩ画面を用いた一連のユーザ操作に対して、制御部１５は、その操作内容を解析し、該解析結果に従って、原稿読取部１１、メディアリーダ１２、表示／操作部１３、記憶部１４、プリンタ１７、課金装置１８、レシートプリンタ１９の各部を制御してコピーや写真の印刷動作、更にはつり銭並びに領収書発行の動作を実現する。
【００７４】
特に、この画像形成装置１００では、コピー印刷機能に関して、原稿読取部１１にセットした原稿Ｇの取り忘れを防止対策の一環として、該原稿読取部１１の原稿読取位置における原稿Ｇの有無を検出する原稿センサ１１５が設けられる（図３参照）。
【００７５】
この原稿センサ１１５の検出出力は、制御部１５に設けられる原稿取り忘れ確認部１５０に入力する。
【００７６】
一方、制御部１５では、ＵＩ画面からの指示に基づく印刷（コピー）動作中、該印刷動作またはＵＩ画面の表示制御等に関する特定の動作条件を認識し、該特定動作条件に対応して、原稿取り忘れ確認部１５０が、原稿センサ１１５の検出出力を用いて原稿Ｇの取り忘れがあるかないかを確認する処理を行うと共に、原稿Ｇの取り忘れがある場合には、例えば、原稿Ｇの取り忘れがあり、その取り出しを促す内容のメッセージをＵＩ画面上に表示する等の方法で、原稿Ｇの取り忘れがある旨を報知するように制御する。
【００７７】
図６は、原稿取り忘れ報知制御に係わる取り忘れ警告メッセージの表示例を示す図である。この例では、ＵＩ画面（取り忘れ警告表示画面）１３７上に“原稿読取装置を御確認下さい”という、原稿Ｇの取り忘れの警告と該原稿Ｇを除去する（取り出す）ことを促す内容のメッセージを表示している。
【００７８】
以下、本発明に係わる画像形成装置１００の原稿取り忘れ防止制御について種々の実施例を挙げて詳しく説明する。
【００７９】
なお、以下の各実施例に係わる画像形成装置１００でのコピー印刷時の基本運用操作は図１を参照して先に述べた通りであり、原稿Ｇの取り忘れ確認タイミングのみが異なるものである。
【００８０】
第１の実施例：
この実施例に係わる画像形成装置１００では、例えば、表示／操作部１３に表示されるＵＩ画面を用いてコピー枚数等の設定を経てコピー開始指示がなされた場合、上記コピー開始指示に基づき、制御部１５の制御下で、原稿読取部１１により読取られた原稿Ｇの画像データがプリンタ１７に転送され、該プリンタ１７により当該画像データに基づき指定部数だけ原稿画像を印刷するコピー動作が開始される。
【００８１】
そして、プリンタ１７による印刷後の用紙は、プリンタ１７の排出トレイ１７１に順次排出される。
【００８２】
この間、原稿読取部１１では、原稿センサ１１５が原稿Ｇの有無を検出し、該原稿Ｇの有無に対応する検出出力を制御部１５の原稿取り忘れ確認部１５０に入力している。
【００８３】
一方、制御部１５では、上述した印刷（コピー）動作中、該印刷動作に関する特定動作条件として、最終プリント（最終コピー：コピー済み用紙）が排出されたこと、または最終プリントの処理が終了したことを認識し、これら動作条件が認識されたタイミングに、原稿取り忘れ確認部１５０が、原稿検出手段（原稿センサ１１５）の検出出力を用いて原稿Ｇの取り忘れがあるか否かを確認する処理を行う。
【００８４】
図８は、本実施例に係わる画像形成装置１００の原稿取り忘れ防止制御動作を示すフローチャートである。
【００８５】
この実施例に係わる画像形成装置１００では、先に述べたように、表示／操作部１３に表示されるＵＩ画面からの操作指示によりプリント（原稿コピー）動作を実行中、制御部１５が当該コピーが終了したか否かを監視する（ステップＳ８０１）。
【００８６】
このステップＳ８０１の処理に関しては、例えば、コピー動作中、制御部１５とプリンタ１７との間で印刷進行状況に関する情報を送受し、制御部１５がプリンタ１７から受信した上記情報に基づき当該プリンタ１７で最終コピーの印刷処理が終了したことを検知してコピーが終了したことを認識する方法がある。
【００８７】
また、排出トレイ１７１の上流側に用紙通過センサを設け、最終印刷後の用紙が該用紙通過センサによってその通過を検出された時（最終コピーの用紙の排出完了時）に、当該最終コピーが終了したとして認識する方法も考えられる。
【００８８】
これらの方法は、以下に述べる各実施例におけるプリント（原稿コピー）終了判別処理においても適用可能である。
【００８９】
上記コピー動作の監視中、コピーが終了したことが認識された場合（ステップＳ８０１ＹＥＳ）、制御部１５（原稿取り忘れ確認部１５０）は、原稿センサ１１５の検出結果を取込み、原稿Ｇが検出されているか未検出かによって当該原稿Ｇの取り忘れがあるかないかを確認する（ステップＳ８０２）。
【００９０】
ここで、原稿Ｇの取り忘れがなかった場合（ステップＳ８０２ＮＯ）、制御部１５は、表示／操作部１３のＵＩ画面をメインメニュー画面に切替える（ステップＳ８０５）。
【００９１】
これに対し、原稿Ｇの取り忘れがある場合（ステップＳ８０２ＹＥＳ）、制御部１５は、表示／操作部１３のＵＩ画面上に、原稿Ｇの取り忘れがある旨を表示する（ステップＳ８０３）。
【００９２】
原稿Ｇの取り忘れ表示の一例としては、図７に示す画面１３７を用いた表示例が考えられる。図７の例では、画面１３７上に“原稿読取装置を御確認下さい”というメッセージを表示することで、ユーザに対して原稿Ｇの取り忘れがあることを暗に報知し、かつその原稿Ｇを除去することを促すようにしている。
【００９３】
上記原稿Ｇの取り忘れ警告の表示後、制御部１５は、原稿センサ１１５の検出結果を監視し、原稿読取部１１から原稿Ｇが除去されたか否かをチェックする（ステップＳ８０４）。
【００９４】
ここで、原稿センサ１１５の検出結果が原稿未検出に相当する場合、制御部１５は、該検出結果から原稿Ｇが除去されたと認識し（ステップＳ８０４ＹＥＳ）、表示／操作部１３のＵＩ画面をメインメニュー画面に切替える（ステップＳ８０５）。
【００９５】
このように、第１の実施例では、特定動作条件として、最終プリントが排出されたことまたは最終プリントの処理が終了ことを認識し、該特定動作条件に対応して、原稿検出手段（原稿センサ１１５）の検出結果に基づき原稿Ｇの取り忘れがあるか否かを確認し、取り忘れがある場合は、その旨を報知して原稿Ｇの取り出しをユーザに促すようにしている。
【００９６】
かかる制御によれば、プリント（コピー）終了後、原稿Ｇを除去しない限りプリント終了が行えない（メインメニュー画面上の“終了”ボタンを押下して終了することになっている。よって、当該メインメニュー画面が表示されないと終了できない。）ことから、ユーザによる原稿Ｇの取り忘れを減少させることができる。
【００９７】
第２の実施例：
第２の実施例に係わる画像形成装置１００では、プリント（コピー）終了後、ユーザがＵＩ画面で“終了”ボタンを押下した時、制御部１５が、原稿センサ１１５の検出結果から原稿Ｇの取り忘れがあるか否かを確認する。
【００９８】
また、この実施例に係わる画像形成装置１００では、プリント（コピー）終了後、ユーザがＵＩ画面で“領収書”ボタンを押下した時、制御部１５が、原稿センサ１１５の検出結果から原稿Ｇの取り忘れがあるか否かを確認する。
【００９９】
図９は、本実施例に係わる画像形成装置１００の原稿取り忘れ防止制御動作を示すフローチャートである。
【０１００】
この実施例に係わる画像形成装置１００では、上述したプリント（コピー）動作中、制御部１５が当該コピーが終了したか否かを監視する（ステップＳ９０１）。
【０１０１】
ここで、コピーが終了したことが認識された場合（ステップＳ９０１ＹＥＳ）、制御部１５は、表示／操作部１３にＵＩ画面（初期画面１３１）を表示させる（ステップＳ９０２）。
【０１０２】
初期画面１３１は、例えば、図４に示したように、“終了”ボタン、“領収書”ボタンを有するものである。ユーザは、この初期画面１３１上で、“終了”ボタンを押下して終了を指示することができ、また、“領収書”ボタンを押下することで領収書発行を指示することができる。
【０１０３】
上記初期画面１３１の表示後、制御部１５は、該ＵＩ画面１３１上でのボタン操作に基づく指示入力を監視し（ステップＳ９０３）、終了若しくは領収書発行の指示があったかどうかをチェックする（ステップＳ９０４）。
【０１０４】
ここで、上記いずれかの指示入力があった場合（ステップＳ９０４ＹＥＳ）、制御部１５（原稿取り忘れ確認部１５０）は、原稿センサ１１５の検出結果を取り込み、原稿Ｇが検出されているか未検出かによって原稿Ｇの取り忘れがあるかないかを確認する（ステップＳ９０５）。
【０１０５】
ここで、原稿Ｇの取り忘れがなかった場合（ステップＳ９０５ＮＯ）、制御部１５は、表示／操作部１３のＵＩ画面をメインメニュー画面に切替える（ステップＳ９０８）。
【０１０６】
これに対し、原稿Ｇの取り忘れがある場合（ステップＳ９０５ＹＥＳ）、制御部１５は、表示／操作部１３のＵＩ画面上に、原稿Ｇの取り忘れがある旨を例えば図７に示す画面１３７のような表示内容で表示する（ステップＳ９０６）。
【０１０７】
上記原稿Ｇの取り忘れ警告の表示後、制御部１５は、原稿センサ１１５の検出結果を監視し、原稿読取部１１から原稿Ｇが除去されたか否かをチェックする（ステップＳ９０７）。
【０１０８】
ここで、原稿センサ１１５の検出結果が原稿Ｇの未検出に相当している場合、制御部１５は、この検出結果から原稿Ｇが除去されたと認識し（ステップＳ９０７ＹＥＳ）、表示／操作部１３のＵＩ画面をメインメニュー画面に切替える（ステップＳ９０８）。
【０１０９】
なお、上記ステップＳ９０４で、“領収書”ボタンが押下された場合、制御部１５は、上記ステップＳ９０５以降の処理（原稿取り忘れ防止制御）と並行して、領収書を発行する処理を行う。
【０１１０】
この場合、制御部１５は、上記“領収書”ボタンの押下を認識すると、課金装置１８から、それまでのプリントに係わる課金処理結果（何枚コピーしたか等の利用明細、利用料金、入金額、つり銭の額等の情報）を取得して該課金処理結果を反映した領収書データを生成し、該領収書データを印字するようにレシートプリンタ１９に指示する。
【０１１１】
レシートプリンタ１９は、上記印刷指示に基づき、上記領収書データを印字し、該印字後の領収書をレシート排出口に排出する。
【０１１２】
このように、第２の実施例では、ＵＩ画面の表示制御に関する特定の動作条件として、プリント（コピー）終了後に表示されるＵＩ画面上で“終了”ボタンが押下されたことを認識し、該“終了”ボタンの押下に対応して、原稿検出手段（原稿センサ１１５）の検出結果を用いて原稿Ｇの取り忘れがあるかないかを確認し、取り忘れがある場合は、その旨を報知して原稿Ｇの除去をユーザに促すようにしている。
【０１１３】
かかる制御によれば、プリント終了後、上記ＵＩ画面上でユーザが“終了”ボタンを押下した際に原稿Ｇが原稿読取部１１から除去されていない場合にはその旨を報知してその除去を促すことができ、ユーザが画像形成装置１００から離れる前に原稿Ｇの取り忘れを報知してその取り忘れを防ぐことができる。
【０１１４】
また、第２の実施例では、ＵＩ画面の表示制御に関する特定の動作条件として、プリント終了後に表示されるＵＩ画面上で“領収書”ボタンが押下されたことを認識し、該“領収書”ボタンの押下に対応して、原稿検出手段の検出結果を用いて原稿Ｇの取り忘れがあるかないかを確認し、取り忘れがある場合は、その旨を報知して原稿Ｇの除去をユーザに促すようにしている。
【０１１５】
このように、プリント終了後、ＵＩ画面におけるユーザ指示〔“領収書”ボタン押下〕に応じて領収書を発行する際に、原稿検出手段の検出結果から原稿Ｇの取り忘れがあるか否かを確認する制御においても、上述した“終了”ボタン押下時に原稿Ｇの取り忘れを検知する場合と同様の効果が期待できる。
【０１１６】
第３の実施例：
第３の実施例に係わる画像形成装置１００では、プリント（コピー）終了後、印刷メニュー画面（初期画面１３１）に戻るタイミングに、制御部１５が、原稿検出手段（原稿センサ１１５）の検知結果から原稿Ｇの取り忘れがあるか否かを確認する。
【０１１７】
図１０は、本実施例に係わる画像形成装置１００の原稿取り忘れ防止制御動作を示すフローチャートである。
【０１１８】
この実施例に係わる画像形成装置１００では、上述したプリント（コピー）動作中、制御部１５が当該コピーが終了したか否かを監視する（ステップＳ１００１）。
【０１１９】
ここで、コピーが終了したことが認識された場合（ステップＳ１００１ＹＥＳ）、制御部１５は、表示／操作部１３にＵＩ画面（初期画面１３１）を表示させる（ステップＳ１００２ａ）と共に、同タイミングに、原稿取り忘れ確認部１５０において、原稿センサ１１５の検出結果を取り込み、原稿Ｇが検出されているか未検出かによって原稿Ｇの取り忘れがあるかないかを確認する（ステップＳ１００２ｂ）。
【０１２０】
ここで、原稿Ｇの取り忘れがなかった場合（ステップＳ１００２ｂＮＯ）、制御部１５は、表示／操作部１３のＵＩ画面をメインメニュー画面に切替える（ステップＳ１００５）。
【０１２１】
これに対し、原稿Ｇの取り忘れがある場合（ステップＳ１００２ｂＹＥＳ）、制御部１５は、表示／操作部１３のＵＩ画面上に、原稿Ｇの取り忘れがある旨を例えば図７に示す画面１３７のような表示内容で表示する（ステップＳ１００３）。
【０１２２】
引き続き、制御部１５は、原稿センサ１１５の検出結果を監視し、原稿読取部１１から原稿Ｇが除去されたか否かをチェックする（ステップＳ１００４）。
【０１２３】
ここで、原稿センサ１１５の検出結果が原稿未検出に相当する場合、制御部１５は、この検出結果から原稿Ｇが除去されたと認識し（ステップＳ１００４ＹＥＳ）、表示／操作部１３のＵＩ画面をメインメニュー画面に切替える（ステップＳ１００５）。
【０１２４】
このように、第３の実施例では、ＵＩ画面の表示制御に関する特定の動作条件として、プリント（コピー）終了後、印刷メニュー画面（初期画面１３１）に戻ったことを認識し、該印刷メニュー画面に戻されたことに対応して、原稿検出手段（原稿センサ１１５）の検出結果を用いて原稿Ｇの取り忘れがあるかないかを確認し、取り忘れがある場合は、その旨を報知して原稿Ｇの除去をユーザに促すようにしている。
【０１２５】
かかる制御によれば、プリント終了後、印刷メニュー画面が表示される際に原稿Ｇが除去されていない場合にはその旨の警告メッセージを表示して原稿Ｇの除去をユーザに促すことができ、ユーザが画像形成装置１００から離れる前に原稿Ｇを除去するように促してその取り忘れを防ぐことができる。
【０１２６】
第４の実施例：
第４の実施例に係わる画像形成装置１００では、課金装置１８のコインキットへのユーザ投入金額が印刷サービスの利用に伴って減算され、残金が“０”円になったタイミングに、制御部１５が、原稿検出手段（原稿センサ１１５）の検知結果から原稿Ｇの取り忘れがあるか否かを確認する。
【０１２７】
図１１は、本実施例に係わる画像形成装置１００の原稿取り忘れ防止制御動作を示すフローチャートである。
【０１２８】
この実施例に係わる画像形成装置１００では、上述したプリント（コピー）動作中、制御部１５が当該コピーが終了したか否かを監視する（ステップＳ１１０１）。
【０１２９】
ここで、コピーが終了したことが認識された場合（ステップＳ１１０１ＹＥＳ）、制御部１５は、表示／操作部１３にＵＩ画面を表示し、当該画面上に、コインキットの現時点での残高を例えば図６に示す態様（残額表示画面１３５）で表示する（ステップＳ１１０２）。
【０１３０】
なお、この残高表示に関し、課金装置１８では、コピー印刷サービス開始前に投入された金額を保持すると共に、コピー印刷開始後、例えば、１枚のコピーが行われる毎に、当該１枚のコピーに係わる利用料金を上記投入金額から減算しながら残額を逐次更新する課金処理を実施している。
【０１３１】
制御部１５は、上記課金処理によって算出される残額を課金装置１８から受け取り、コピー終了時点で表示されるＵＩ画面上に表示することにより、上記ステップＳ１１０２の残高表示を実現する。
【０１３２】
ステップＳ１１０２において、コインキットの残高を表示した後、制御部１５は、課金装置１８から取得した上記課金処理結果に基づきコインキットの残高をチェックする（ステップＳ１１０３）。
【０１３３】
ここで、残高がある場合（ステップＳ１１０３：残金有り）、制御部１５は、表示／操作部１３のＵＩ画面をメインメニュー画面に切替える（ステップＳ１１０７）。
【０１３４】
また、残高が“０”円であった場合（ステップＳ１１０３：残金“０”円）、制御部１５（原稿取り忘れ確認部１５０）は、原稿センサ１１５の検出結果を取り込み、原稿Ｇが検出されているか未検出かによって原稿Ｇの取り忘れがあるかないかを確認する（ステップＳ１１０４）。
【０１３５】
ここで、原稿Ｇの取り忘れがなかった場合（ステップＳ１１０４ＮＯ）、制御部１５は、表示／操作部１３のＵＩ画面をメインメニュー画面に切替える（ステップＳ１１０７）。
【０１３６】
これに対し、原稿Ｇの取り忘れがある場合（ステップＳ１１０４ＹＥＳ）、制御部１５は、表示／操作部１３のＵＩ画面上に、原稿Ｇの取り忘れがある旨を例えば図７に示す画面１３７のような表示内容で表示する（ステップＳ１１０５）。
【０１３７】
上記原稿Ｇの取り忘れ警告の表示後、制御部１５は、原稿センサ１１５の検出結果を監視し、原稿読取部１１から原稿Ｇが除去されたか否かをチェックする（ステップＳ１１０６）。
【０１３８】
ここで、原稿センサ１１５の検出結果が原稿未検出に相当する場合、制御部１５は、この検出結果から原稿Ｇが除去されたと認識し（ステップＳ１１０６ＹＥＳ）、表示／操作部１３のＵＩ画面をメインメニュー画面に切替える（ステップＳ１１０７）。
【０１３９】
このように、第４の実施例では、印刷動作またはＵＩ画面の表示制御に関する特定の動作条件として、プリント（コピー）終了後、課金装置１８のコインキットの残高が“０”円になったことを認識し、当該残高が“０”円になったことに対応して、原稿検出手段（原稿センサ１１５）の検出結果に基づき原稿Ｇの取り忘れを確認し、取り忘れがある場合は、その旨を報知して原稿Ｇの除去をユーザに促すようにしている。
【０１４０】
かかる制御によれば、プリント終了後、残高が“０”円でそれ以上にプリントできない状態の時に原稿Ｇが除去されていない場合にその旨が報知される結果、ユーザが画像形成装置１００から離れる前に原稿Ｇの除去を促してその取り忘れを防止することができる。
【０１４１】
第５の実施例：
第５の実施例に係わる画像形成装置１００では、プリント（コピー）実行中、ＵＩ画面上で、“プリント（コピー）中止”ボタンが押下された場合に、制御部１５（原稿取り忘れ確認部１５０）が、原稿検出手段（原稿センサ１１５）の検知出力から原稿Ｇの取り忘れがあるか否かを確認する処理を行う。
【０１４２】
図１２は、本実施例に係わる画像形成装置１００の原稿取り忘れ防止制御動作を示すフローチャートである。
【０１４３】
この実施例に係わる画像形成装置１００では、例えば、表示／操作部１３に表示されるＵＩ画面を用いてコピー枚数等の設定を経てコピー開始指示がなされると（ステップＳ１２０１ＹＥＳ）、制御部１５の制御下で、原稿読取部１１により読取られた原稿Ｇの画像データがプリンタ１７に転送され、該プリンタ１７により当該画像データに基づき指定部数だけ原稿画像を印刷するコピー動作が開始される（ステップＳ１２０２）。
【０１４４】
このプリント（コピー）実行中、制御部１５は、表示／操作部１３にプリント中画面１３３ａ〔図５（ａ）参照〕を表示する。
【０１４５】
このプリント中画面１３５ａには、プリント実行中であることを示す情報、当該プリントの進捗状況の他、プリント（コピー）の中止を指示する“コピー中止”ボタンも表示される。
【０１４６】
上記ステップ１２０２でのコピー動作の実行中、制御部１５は、プリント中画面１３３ａ上で“コピー中止”ボタンが押下されたか否かを監視する（ステップＳ１２０３）。
【０１４７】
ここで、コピー実行中に“コピー中止”ボタンが押下されない（ステップＳ１２０３ＮＯ）間、コピー動作が継続される。
【０１４８】
これに対し、コピー実行中に“コピー中止”ボタンが押下された場合（ステップＳ１２０３ＹＥＳ）、制御部１５（原稿取り忘れ確認部１５０）は、原稿センサ１１５の検出出力を取り込み、原稿Ｇが検出されているか未検出かによって原稿Ｇの取り忘れがあるか否かを確認する処理を行う（ステップＳ１２０４）。
【０１４９】
ここで、原稿Ｇの取り忘れがなかった場合（ステップＳ１２０４ＮＯ）、制御部１５は、表示／操作部１３のＵＩ画面をメインメニュー画面に切替える（ステップＳ１２０７）。
【０１５０】
これに対し、原稿Ｇの取り忘れがある場合（ステップＳ１２０４ＹＥＳ）、制御部１５は、表示／操作部１３のＵＩ画面上に、原稿Ｇの取り忘れがある旨を例えば図７に示すような表示内容で表示する（ステップＳ１２０５）。
【０１５１】
上記原稿Ｇの取り忘れ警告の表示後、制御部１５は、原稿センサ１１５の検出出力を監視し、原稿読取部１１から原稿Ｇが除去されたか否かをチェックする（ステップＳ１２０６）。
【０１５２】
ここで、原稿センサ１１５の検出出力が原稿未検出に対応する検出出力であった場合、制御部１５は、この検出出力から原稿Ｇが除去されたと認識し（ステップＳ１２０６ＹＥＳ）、表示／操作部１３のＵＩ画面をメインメニュー画面に切替える（ステップＳ１２０７）。
【０１５３】
このように、第５の実施例では、ＵＩ画面の表示制御に関する特定動作条件として、プリント（コピー）実行中、ＵＩ画面上で、“プリント（コピー）中止”ボタンが押下されたことを認識し、該“プリント中止”ボタンの押下に対応して、原稿検出手段（原稿センサ１１５）の検出出力を用いて原稿Ｇの取り忘れがあるか否かを確認し、取り忘れがある場合は、その旨を報知して原稿Ｇの除去をユーザに促すようにしている。
【０１５４】
かかる制御によれば、プリント中にユーザの都合で“プリント中止”ボタンが押下された際に原稿Ｇが除去されていない場合にその旨が報知されるため、ユーザは自己の都合でプリントを中止した時点で原稿Ｇを除去する作業を行うことができ、画像形成装置１００を離れる前に原稿Ｇを除去する機会を増やして当該原稿Ｇの取り忘れを減少させることができる。
【０１５５】
この他、本発明は、上記し、且つ図面に示す実施例に限定することなく、その要旨を変更しない範囲内で適宜変形して実施できるものである。
【０１５６】
例えば、上記各実施例では、原稿読取部１１とプリンタ部（プリンタ１７）から成る複写機を実装したシステム構成について述べたが、本システムは、原稿読取装置とプリンタ装置が分離独立した構成であっても良い。
【０１５７】
また、上記各実施例では、表示機能並びに入力機能を有する操作画面上での操作に基づき印刷（原稿コピーあるいは写真プリント）を行うようにしているが、こうした操作画面以外の入力機能を用いて印刷を行うものにも適用可能である。
【０１５８】
また、上記各実施例では、コンビニエンスストア等に設置され、課金を行って有料印刷サービスを提供する画像形成装置への適用例について述べているが、原稿Ｇ取り忘れを確認する処理を、最終プリントが排出（または処理終了）された時に行うもの（第１の実施例）、プリント終了後、ユーザがＵＩ画面で終了ボタンが押下された時に行うもの（第２の実施例）、プリント終了後、ＵＩ画面をメニュー画面（初期画面）に戻すタイミングで行うもの（第３の実施例）、プリント動作中、ユーザがＵＩ画面でプリント中止ボタンが押下された時に行うもの（（第５の実施例）については、一般のオフィスや家庭で使用する、課金を伴わない画像形成装置にも適用可能である。
【産業上の利用可能性】
【０１５９】
本発明は、ＵＩ画面からの印刷指示操作に基づき原稿を読取り、該読取った情報を印刷出力する画像形成装置全般、中でも、コンビニエンスストア等に設置され、課金を行って有料印刷サービスを提供する画像形成装置に適用可能であって、印刷終了時や領収書発行時等、課金処理終了時以外の様々なタイミングで原稿の取り忘れを報知してその取り忘れを減少させるのに有用である。
【図面の簡単な説明】
【０１６０】
【図１】本発明に係る画像形成装置の全体構成を示すブロック図。
【図２】本発明に係わる画像形成装置の外観構成を示す概念図。
【図３】原稿読取部における原稿センサの配置態様を示す概念図。
【図４】初期画面の表示例を示す図。
【図５】プリント中画面の表示例を示す図。
【図６】残金表示画面の表示例を示す図。
【図７】原稿取り忘れ警告メッセージの表示例を示す図。
【図８】第１の実施例に係わる原稿取り忘れ防止制御動作を示すフローチャート。
【図９】第２の実施例に係わる原稿取り忘れ防止制御動作を示すフローチャート。
【図１０】第３の実施例に係わる原稿取り忘れ防止制御動作を示すフローチャート。
【図１１】第４の実施例に係わる原稿取り忘れ防止制御動作を示すフローチャート。
【図１２】第５の実施例に係わる原稿取り忘れ防止制御動作を示すフローチャート。
【符号の説明】
【０１６１】
１００…画像形成装置、５…記録メディア、１１…原稿読取部、１１１…プラテン、１１２…プラテンカバー、１１５…原稿センサ、ｄ１…発光素子、ｄ２…受光素子、１２…記録媒体読取部（メディアリーダ）、１３…表示／操作部、１３１…初期画面、１３３ａ，１３３ｂ…プリント中画面、１３７…取り忘れ警告メッセージ表示画面、１４…記憶部、１５…制御部、１５０…原稿取り忘れ確認部、１７…プリンタ、１７１…排出トレイ、１８…課金装置、１９…レシートプリンタ、Ｕ１…制御ユニット、Ｕ２…記録媒体読取ユニット、Ｕ３…印刷ユニット、Ｕ４…課金処理ユニット
【図１】
2005084403.tif 000003
【図２】
2005084403.tif 000004
【図３】
2005084403.tif 000005
【図４】
2005084403.tif 000006
【図５】
2005084403.tif 000007
【図６】
2005084403.tif 000008
【図７】
2005084403.tif 000009
【図８】
2005084403.tif 000010
【図９】
2005084403.tif 000011
【図１０】
2005084403.tif 000012
【図１１】
2005084403.tif 000013
【図１２】
2005084403.tif 000014